【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
さらなるデータが期待されないというユーザ設備（ＵＥ）の上部層からの指示に応答して、信号伝達接続解放指示メッセージの中の理由を「ＵＥがパケット交換（ＰＳ）データセクションの終了をリクエストした」に設定することと、
アクノリッジモード（ＡＭ）無線リンク制御（ＲＬＣ）を用いて専用制御チャネル（ＤＣＣＨ）上で、ネットワーク制御された移行に対する前記理由を含む前記信号伝達接続解放指示メッセージを前記ユーザ設備からワイヤレスネットワークに送信することと、
前記ワイヤレスネットワークから状態移行メッセージを受信することと
を含む、方法。
【請求項２】
データを送信または受信するように期待されるアプリケーションが前記ＵＥにおいて存在しないことを決定することをさらに含む、請求項１に記載の方法。
【請求項３】
前記原因は、前記信号伝達接続解放指示メッセージの情報エレメントである、請求項１に記載の方法。
【請求項４】
前記ＵＥにおいて、特定のコアネットワークドメインに対する上部層からの信号送達接続を解放または中断するリクエストを受信することをさらに含む、請求項１に記載の方法。
【請求項５】
前記ワイヤレスネットワークは、ユニバーサル陸上無線アクセスネットワーク（ＵＴＲＡＮ）を含む、請求項１に記載の方法。
【請求項６】
前記ワイヤレスネットワークは、ユニバーサル移動電気通信システム（ＵＭＴＳ）ネットワークである、請求項１に記載の方法。
【請求項７】
前記信号伝達接続解放指示メッセージは、ユーザ設備タイマの時間切れ後に送信される、請求項１に記載の方法。
【請求項８】
前記ネットワーク制御された移行は、第１の無線リソース制御（ＲＲＣ）状態からバッテリの効率的なＲＲＣ状態またはモードへの移行である、請求項１に記載の方法。
【請求項９】
前記第１のＲＲＣ状態は、セル専用チャネル（ＣＥＬＬ＿ＤＣＨ）状態、セル転送アクセスチャネル（ＣＥＬＬ＿ＦＡＣＨ）状態、セルページングチャネル（ＣＥＬＬ＿ＰＣＨ）状態およびＵＴＲＡＮ登録エリアページングチャネル（ＵＲＡ＿ＰＣＨ）状態のうちの１つである、請求項８に記載の方法。
【請求項１０】
前記バッテリの効率的なＲＲＣ状態またはモードは、セル転送アクセスチャネル（ＣＥＬＬ＿ＦＡＣＨ）状態、セルページングチャネル（ＣＥＬＬ＿ＰＣＨ）状態、ＵＴＲＡＮ登録エリアページングチャネル（ＵＲＡ＿ＰＣＨ）状態およびアイドルモードのうちの１つである、請求項８に記載の方法。
【請求項１１】
前記指示は、ＵＥアプリケーションからの指示の複合ステータスに基づく、請求項１に記載の方法。
【請求項１２】
前記信号伝達接続解放指示メッセージを送信することは、遅延の後に実行される、請求項１に記載の方法。
【請求項１３】
前記遅延は、１つ以上のアプリケーションタイムアウトに基づく、請求項１２に記載の方法。
【請求項１４】
前記状態移行メッセージを受信することに応答して、前記ＵＥが、第１の無線リソース制御（ＲＲＣ）状態からバッテリの効率的なＲＲＣ状態またはモードに移行することをさらに含む、請求項１に記載の方法。
【請求項１５】
前記第１のＲＲＣ状態は、セル専用チャネル（ＣＥＬＬ＿ＤＣＨ）状態、セル転送アクセスチャネル（ＣＥＬＬ＿ＦＡＣＨ）状態、セルページングチャネル（ＣＥＬＬ＿ＰＣＨ）状態およびＵＴＲＡＮ登録エリアページングチャネル（ＵＲＡ＿ＰＣＨ）状態のうちの１つである、請求項１４に記載の方法。
【請求項１６】
前記バッテリの効率的なＲＲＣ状態またはモードは、セル転送アクセスチャネル（ＣＥＬＬ＿ＦＡＣＨ）状態、セルページングチャネル（ＣＥＬＬ＿ＰＣＨ）状態、ＵＴＲＡＮ登録エリアページングチャネル（ＵＲＡ＿ＰＣＨ）状態およびアイドルモードのうちの１つである、請求項１４に記載の方法。
【請求項１７】
前記状態移行メッセージは、第１の無線リソース制御（ＲＲＣ）状態からバッテリの効率的なＲＲＣ状態またはモードに移行するメッセージである、請求項１に記載の方法。
【請求項１８】
前記第１のＲＲＣ状態は、セル専用チャネル（ＣＥＬＬ＿ＤＣＨ）状態、セル転送アクセスチャネル（ＣＥＬＬ＿ＦＡＣＨ）状態、セルページングチャネル（ＣＥＬＬ＿ＰＣＨ）状態およびＵＴＲＡＮ登録エリアページングチャネル（ＵＲＡ＿ＰＣＨ）状態のうちの１つである、請求項１７に記載の方法。
【請求項１９】
前記バッテリの効率的なＲＲＣ状態またはモードは、セル転送アクセスチャネル（ＣＥＬＬ＿ＦＡＣＨ）状態、セルページングチャネル（ＣＥＬＬ＿ＰＣＨ）状態、ＵＴＲＡＮ登録エリアページングチャネル（ＵＲＡ＿ＰＣＨ）状態およびアイドルモードのうちの１つである、請求項１７に記載の方法。
【請求項２０】
無線サブシステムとプロセッサとを有するユーザ設備（ＵＥ）であって、前記プロセッサは、メモリと前記無線サブシステムとユーザインターフェースとに相互作用するように適合されており、前記ＵＥは、
前記ＵＥの上部層からの指示に応答して、信号伝達接続解放指示メッセージの中の理由を「ＵＥがパケット交換（ＰＳ）データセクションの終了をリクエストした」に設定することと、
アクノリッジモード（ＡＭ）無線リンク制御（ＲＬＣ）を用いて専用制御チャネル（ＤＣＣＨ）上で、ネットワーク制御された移行に対する前記理由を含む前記信号伝達接続解放指示メッセージをワイヤレスネットワークに送信することと、
前記ワイヤレスネットワークから状態移行メッセージを受信することと
を行うように構成されている、ＵＥ。
【請求項２１】
前記ＵＥは、データを送信または受信するように期待されるアプリケーションが前記ＵＥにおいて存在しないことを決定するように構成されている、請求項２０に記載のＵＥ。
【請求項２２】
前記原因は、前記信号伝達接続解放指示メッセージの情報エレメントである、請求項２０に記載のＵＥ。
【請求項２３】
特定のコアネットワークドメインに対する上部層からの信号送達接続を解放または中断するリクエストを受信するようにさらに構成されている、請求項２０に記載のＵＥ。
【請求項２４】
前記ワイヤレスネットワークは、ユニバーサル陸上無線アクセスネットワーク（ＵＴＲＡＮ）を含む、請求項２０に記載のＵＥ。
【請求項２５】
前記遅延は、１つ以上のアプリケーションタイムアウトに基づく、請求項２４に記載のＵＥ。
【請求項２６】
前記ワイヤレスネットワークは、ユニバーサル移動電気通信システム（ＵＭＴＳ）ネットワークである、請求項２０に記載のＵＥ。
【請求項２７】
前記信号伝達接続解放指示メッセージは、ユーザ設備タイマの時間切れ後に送信される、請求項２０に記載のＵＥ。
【請求項２８】
前記ネットワーク制御された移行は、第１の無線リソース制御（ＲＲＣ）状態からバッテリの効率的なＲＲＣ状態またはモードへの移行である、請求項２０に記載のＵＥ。
【請求項２９】
前記第１のＲＲＣ状態は、セル専用チャネル（ＣＥＬＬ＿ＤＣＨ）状態、セル転送アクセスチャネル（ＣＥＬＬ＿ＦＡＣＨ）状態、セルページングチャネル（ＣＥＬＬ＿ＰＣＨ）状態およびＵＴＲＡＮ登録エリアページングチャネル（ＵＲＡ＿ＰＣＨ）状態のうちの１つである、請求項２０に記載のＵＥ。
【請求項３０】
前記バッテリの効率的なＲＲＣ状態またはモードは、セル転送アクセスチャネル（ＣＥＬＬ＿ＦＡＣＨ）状態、セルページングチャネル（ＣＥＬＬ＿ＰＣＨ）状態、ＵＴＲＡＮ登録エリアページングチャネル（ＵＲＡ＿ＰＣＨ）状態およびアイドルモードのうちの１つである、請求項２０に記載のＵＥ。
【請求項３１】
前記指示は、ＵＥアプリケーションからの指示の複合ステータスに基づく、請求項２０に記載のＵＥ。
【請求項３２】
前記信号伝達接続解放指示メッセージの送信は、遅延の後に実行される、請求項２０に記載のＵＥ。
【請求項３３】
前記状態移行メッセージを受信することに応答して、第１の無線リソース制御（ＲＲＣ）状態からバッテリの効率的なＲＲＣ状態またはモードに移行するようにさらに構成されている、請求項２０に記載のＵＥ。
【請求項３４】
前記第１のＲＲＣ状態は、セル専用チャネル（ＣＥＬＬ＿ＤＣＨ）状態、セル転送アクセスチャネル（ＣＥＬＬ＿ＦＡＣＨ）状態、セルページングチャネル（ＣＥＬＬ＿ＰＣＨ）状態およびＵＴＲＡＮ登録エリアページングチャネル（ＵＲＡ＿ＰＣＨ）状態のうちの１つである、請求項３３に記載のＵＥ。
【請求項３５】
前記バッテリの効率的なＲＲＣ状態またはモードは、セル転送アクセスチャネル（ＣＥＬＬ＿ＦＡＣＨ）状態、セルページングチャネル（ＣＥＬＬ＿ＰＣＨ）状態、ＵＴＲＡＮ登録エリアページングチャネル（ＵＲＡ＿ＰＣＨ）状態およびアイドルモードのうちの１つである、請求項３３に記載のＵＥ。
【請求項３６】
前記状態移行メッセージは、第１の無線リソース制御（ＲＲＣ）状態からバッテリの効率的なＲＲＣ状態またはモードに移行するメッセージである、請求項２０に記載のＵＥ。
【請求項３７】
前記第１のＲＲＣ状態は、セル専用チャネル（ＣＥＬＬ＿ＤＣＨ）状態、セル転送アクセスチャネル（ＣＥＬＬ＿ＦＡＣＨ）状態、セルページングチャネル（ＣＥＬＬ＿ＰＣＨ）状態およびＵＴＲＡＮ登録エリアページングチャネル（ＵＲＡ＿ＰＣＨ）状態のうちの１つである、請求項３６に記載のＵＥ。
【請求項３８】
前記バッテリの効率的なＲＲＣ状態またはモードは、セル転送アクセスチャネル（ＣＥＬＬ＿ＦＡＣＨ）状態、セルページングチャネル（ＣＥＬＬ＿ＰＣＨ）状態、ＵＴＲＡＮ登録エリアページングチャネル（ＵＲＡ＿ＰＣＨ）状態およびアイドルモードのうちの１つである、請求項３６に記載のＵＥ。
【請求項３９】
ワイヤレスネットワークにおいて信号伝達接続解放指示メッセージを処理する方法であって、前記方法は、
アクノリッジモード（ＡＭ）無線リンク制御（ＲＬＣ）を用いて専用制御チャネル（ＤＣＣＨ）上で、前記ＵＥのネットワーク制御された移行に対する前記信号伝達接続解放指示メッセージをユーザ設備（ＵＥ）から受信することであって、前記信号伝達接続解放指示メッセージは、さらなるデータが前記ＵＥにおいて期待されないという前記ＵＥの上部層からの指示を反映して、「ＵＥがパケット交換（ＰＳ）データセクションの終了をリクエストした」に設定された理由を有する、ことと、
前記理由に基づいて、状態移行を開始することと
を含む、方法。
【請求項４０】
前記原因は、前記信号伝達接続解放指示メッセージの情報エレメントである、請求項３９に記載の方法。
【請求項４１】
前記状態移行を開始することは、状態移行メッセージを前記ＵＥに送信することを含む、請求項３９に記載の方法。
【請求項４２】
信号伝達接続解放指示メッセージを処理するワイヤレスネットワーク装置であって、前記ネットワーク装置は、
アクノリッジモード（ＡＭ）無線リンク制御（ＲＬＣ）を用いて専用制御チャネル（ＤＣＣＨ）上で、前記ＵＥのネットワーク制御された移行に対する前記信号伝達接続解放指示メッセージをユーザ設備（ＵＥ）から受信することであって、前記信号伝達接続解放指示メッセージは、さらなるデータが前記ＵＥにおいて期待されないという前記ＵＥの上部層からの指示を反映して、「ＵＥがパケット交換（ＰＳ）データセクションの終了をリクエストした」に設定された理由を有する、ことと、
前記理由に基づいて、状態移行を開始することと
を行うように構成されている、ネットワーク装置。
【請求項４３】
前記原因は、前記信号伝達接続解放指示メッセージの情報エレメントである、請求項４２に記載のネットワーク装置。
【請求項４４】
状態移行メッセージを前記ＵＥに送信するようにさらに構成されている、請求項４２に記載のネットワーク装置。